(57)【特許請求の範囲】
【請求項１】
先端に樹脂成形の口金を着脱自在とし前部外側に樹脂成形のグリップを被せた樹脂成形の中軸と、該中軸の内側先端部に固定した樹脂成形の軸継手と、中軸内の後部位置で一定距離スライドする樹脂成形のスライド軸と、該スライド軸の内側に配され軸継手内にスプリングを介して一定距離を前後に摺動自在とした樹脂成形の芯タンクと、該芯タンクの先端と口金の間に設けた芯繰り出し機構と、スライド軸の後端部に固定され中軸の後端部を覆い前述のグリップの後部分とオーバーラップする樹脂成形のオーバーカップと、該オーバーカップの後端部に芯タンクに連通する開口部を設けて開閉自在とした樹脂成形のトッププラグとよりなり、芯繰り出し機構はクラッチ、チャック、保持リングよりなり、口金の先端には芯が挿通する前後動自在の先端金具を内装して繰り出し機構のチャック、芯タンクに連係させてあり、スライド軸のスライドは、中軸の後部寄り内中間に設けたストッパーとスライド軸の先端に設けた段差と衝当して停止自在となっており、芯タンクの後部寄り外側には引掛け凸部を、スライド軸の内側には引掛かり凸部を周設して、互いの凸部をオーバーカップを伸張させた状態で一時的に停着自在とし、この互いの凸部の停着状態でトッププラグをノックして芯タンクをスプリングに抗し押圧して芯繰り出し機構を操作自在とし、ノックよりもより強く押圧することにより互いの凸部の停着が解けてスライド軸の前記段差と中軸の前寄り内側に設けた緊入凸部と停着自在としてなる伸縮式シャープペン。
【発明の詳細な説明】
【０００１】
【産業上の利用分野】
本発明はシャープペンの改良に関する。
【０００２】
【従来技術及びその欠点】
従来シャープペンは、殆どが長さが一定で芯のみが突出自在となっており、そのため携帯に際しては嵩張って不便であったり、又構成素材の殆どが金属製となっているため形状も前後の太さが同じの棒状態のものが殆どで趣向に富んだものと言えない。
【０００３】
【発明が解決しようとする課題】
そこで本発明は、シャープペンを伸縮式とし、携帯に際してはコンパクトにして持ち歩きやすくし、且殆どの構成部品を樹脂製として形状的にも趣向に富んだシャープペンを提供しようとするものである。
【０００４】
【実施例】
本発明を図示の実施例により詳記すると、先端に樹脂成形の口金２を着脱自在とし前部外側にシャープペン全体が後述のオーバーカップ５と相俟って砲弾状となる樹脂成形のグリップ４を被せた樹脂成形の中軸３と、該中軸３の内側先端部に固定した樹脂成形の軸継手１２と、中軸３内の後部位置で一定距離スライドする樹脂成形のスライド軸６と、該スライド軸６の内側に配され軸継手１２内にスプリング１３を介して一定距離を前後に摺動自在とした樹脂成形の芯タンク１４と、該芯タンク１４の先端と口金２の間に設けた芯繰り出し機構１７と、スライド軸６の後端部に固定され中軸３の後端部を覆い前述のグリップ４の後部分とオーバーラップする樹脂成形のオーバーカップ５と、該オーバーカップ５の後端部に芯タンク１４に連通する開口部１８を設けて開閉自在とした樹脂成形のトッププラグ８とよりなり、このトッププラグ８は着脱自在となっている。
【０００５】
芯繰り出し機構１７は汎用手段であるが、クラッチ１０、チャック１１、保持リング１６よりなり、口金２の先端には鉛芯１５が挿通する前後動自在の先端金具１を内装して繰り出し機構１７のチャック１１、芯タンク１４に連係させてあり、スライド軸６のスライドは、中軸３の後部寄り内中間に設けたストッパー１９とスライド軸６の先端に設けた段差と衝当して停止自在となっている。
【０００６】
芯タンク１４の後部寄り外側には引掛け凸部２１を、スライド軸の内側には引掛かり凸部２２を周設して、互いの凸部２１、２２をオーバーカップ５を伸張させた状態で一時的に停着自在とし、この互いの凸部２１、２２の停着状態でトッププラグ８をノックして芯タンク１４をスプリング１３に抗して芯繰り出し機構１７を操作自在とし、このノックよりもより強く押圧することにより互いの凸部２１、２２の停着が解けて全体が伸縮しスライド軸６の前記段差２０と中軸３の前寄り内側に設けた緊入凸部２３と停着して縮小状態を維持するようにしたものである。図中７はアクセントリング、９は消しゴムで開口部１８に差し込まれている、１５は鉛芯、２４はリング、紐等を通す相通孔である
【０００７】
スプリング１３の圧力は極力弱くしてあるが、鉛芯１５を保持するチャック１６の保持力は筆記時に芯すべりのないように設計されている。
【０００８】
【作用】
本発明は以上の如く具現されるもので、これを使用するには図１の縮小状態から図２の伸張状態にするには、オーバーカップ５を後方に引くことにより引掛け凸部２１と引掛かり凸部２２が停着し、この状態で図３に示すようにトッププラグ８をスプリング１３に抗してノックすることによりスライド軸６、芯タンク１４が押し出され、その結果芯繰り出し機構１７が操作され鉛芯１５が繰り出されると同時に先端金具１も押出され芯１５の先端が口金２より突出し筆記状態となる。芯先が消耗すればトッププラグ８を再度操作すれば良い。
【０００９】
縮小状態とするには、トッププラグ８をグリップ４方向に押圧すればよいが、ノック状態で鉛芯１５と先端金具１を口金２内に収納し、その後トッププラグ８をグリップ４に押入して、引掛け凸部と２１と引掛かり凸部２２の停着を解きより押圧するようにすればよい。このときスライド軸６の段差２０と中軸３の緊入凸部２３が緊入状態となり不用意には外れないようになって図１の縮小状態を維持する。
【００１０】
【効果】
本発明は叙上の如く、口金、グリップ、中軸、軸継手、スライド軸、芯タンク、オーバーカップ、トッププラグ等は全て樹脂成形となっているので加工がしやすいのみならず、趣向に富んだものを容易にデザインすることができ、又安価に提供できる。
【００１１】
芯繰り出し機構はクラッチ、チャック、保持リングよりなり、口金の先端には芯が通過する前後動自在の先端金具を内装して繰り出し機構のチャック、芯タンクに連係させてあり、スライド軸のスライドは、中軸の後部寄り内中間に設けたストッパーとスライド軸の先端に設けた段差と衝当して停止自在となっており、芯タンクの後部寄り外側には引掛け凸部を、スライド軸の内側には引掛かり凸部を周設して、互いの凸部をオーバーカップを伸張させた状態で一時的に停着自在とし、この互いの凸部の停着状態でトッププラグをノックして芯タンクをスプリングに抗し押圧して芯繰り出し機構を操作自在とし、ノックよりもより強く押圧することにより互いの凸部の停着が解けてスライド軸の前記段差と中軸の前寄り内側に設けた緊入凸部と停着自在としたので、グリップとオーバーカップを持って伸縮操作をすることができ、縮小状態ではコンパクトになって収納に便利であり、又伸張状態ではトッププラグをノックして芯繰り出し機構を操作し、筆記できるようになるので便利である。
【図面の簡単な説明】
【図１】  本発明の伸縮式シャープペンの縮小時の縦断説明図。
【図２】  本発明の伸縮式シャープペンの伸張時の縦断説明図。
【図３】  本発明の伸縮式シャープペンの伸張時でノック状態の縦断説明図。
【符号の説明】
１は先端金具
２は口金
３は中軸
４はグリップ
５はオーバーカップ
６はスライド軸
８はトッププラグ
９は消しゴム
１０はクラッチ
１１はチャック
１３はスプリング
１４は芯タンク
１５は鉛芯
１６は保持リング
１７は芯繰り出し機構
１８は開口部
１９はストッパー
２０は段差
２１は引掛け凸部
２２は引掛かり凸部
２３は後軸本体
２４は挿通孔
【図１】
0003704133.tif 000002
【図２】
0003704133.tif 000003
【図３】
0003704133.tif 000004